(57)【要約】      （修正有）【課題】粘着テープの繰出し先端部の未使用部分が切断後に補助具の表面に仮粘着され、長期間放置しておいても粘着面が乾燥して粘着力が劣化するおそれが少なくなるとともに、粘着テープを再使用するに際して操出し先端部を補助具から容易に剥がすことができるようにした粘着テープカッター用補助具を提供する。【解決手段】粘着テープカッター用補助具１０は、板部１１、板部１１の裏面に形成された接着剤層１２および板部１１の表面に形成された非粘着層１３からなり、平面板部Ｃ１、平面板部Ｃ１の前端縁から折曲されて起立されたカッター刃Ｃ２、平面板部Ｃ１の後端縁から折曲されて起立された面取り折曲部Ｃ３および平面板部Ｃ１の左右両端縁から垂下するように延出された左右脚部Ｃ４，Ｃ５とからなる粘着テープカッターＣの平面板部Ｃ１に接着剤層１２により固着されて使用される。【選択図】図１
0003161903.tif 000002
【実用新案登録請求の範囲】
【請求項１】
板部、該板部の裏面に形成された接着剤層および前記板部の表面に形成された非粘着層からなり、
平面板部、該平面板部の前端縁から折曲されて起立されたカッター刃、および前記平面板部の左右両端縁から垂下するように延出された左右脚部を含む粘着テープカッターの前記平面板部の表面に前記接着剤層により固着されて使用されることを特徴とする粘着テープカッター用補助具。
【請求項２】
前記板部の表面に、手持ちのカッターナイフのカッター刃を挿入して移動させることにより粘着テープを切断することができる刃溝が形成されている請求項１記載の粘着テープカッター用補助具。
【請求項３】
板部、該板部の裏面に形成された接着剤層および前記板部の表面に形成された非粘着層からなり、
側面板部、該側面板部の環状部分から片持ち支持されるように延出されたロール軸部、前記側面板部の三角状部分から片持ち支持されるように延出されたカッター刃支持部、該カッター刃支持部の先端縁に固着されたカッター刃、および前記カッター刃支持部の左右下方端部から内方に対向するように折り曲げられた仮留腕部を含む粘着テープディスペンサーの前記平面板部の表面に前記接着剤層により固着されて使用されることを特徴とする粘着テープディスペンサー用補助具。
【請求項４】
前記板部の表面に、手持ちのカッターナイフのカッター刃を挿入して移動させることにより粘着テープを切断することができる刃溝が形成されている請求項３記載の粘着テープディスペンサー用補助具。
【考案の詳細な説明】
【技術分野】
【０００１】
本考案は、粘着テープカッター用補助具および粘着テープディスペンサー用補助具に関し、詳しくは粘着テープカッターおよび粘着テープディスペンサーに固着して粘着テープの利便性を向上する補助具に関する。
【背景技術】
【０００２】
粘着テープには、その基材の材質に応じて、セロハン粘着テープ、ビニール粘着テープ、紙粘着テープ（いわゆるガムテープ）、布粘着テープなどの種類がある。
【０００３】
一方、粘着テープを切断する器具としては、粘着テープロールに取り付けて使用するもの（以下、本明細書では、粘着テープカッターという。）（例えば、特許文献１参照）と、粘着テープロールを装着して使用するもの（以下、本明細書では、粘着テープディスペンサーという。）（例えば、特許文献２参照）とがある。
【０００４】
また、粘着テープカッターおよび粘着テープディスペンサーには、粘着テープの粘着面（裏面）をカッター刃に押し当てて切断するものと、粘着テープの非粘着面（表面）をカッター刃に押し当てて切断するものとの２種類がある。
【先行技術文献】
【特許文献】
【０００５】
【特許文献１】特開平５−３１６９７号公報
【特許文献２】特開２００９−１５５０７９号公報
【考案の概要】
【考案が解決しようとする課題】
【０００６】
従来の粘着テープカッターおよび粘着テープディスペンサーでは、テープロールから粘着テープの先端部を繰り出して非粘着面または粘着面をカッター刃に押し当てて粘着テープを切断していたので、粘着テープの繰出し先端部の未使用部分はカッター刃に付着して次に使用するまで待機状態を保持していた。このため、カッター刃に付着している粘着テープの繰出し先端部の粘着剤層が外気に露出したままとなるので、長期間使用しないと乾燥して粘着テープの粘着力が劣化し、次に使用する場合に被着対象面に十分に粘着することができなくなるという不具合があった。
【０００７】
また、従来の粘着テープカッターでは、粘着テープカッターが粘着テープロールに取り付けられた状態で動く結果、粘着テープの繰出し先端部が粘着テープロールに再粘着してその切断端が分かりにくくなってしまうことがしばしば生じていた。このため、使用するたびに繰出し先端部の切断端を捜すために時間を要したり、粘着テープロールから繰出し先端部を爪で剥がしたりする必要があるという不具合があった。
【０００８】
さらに、従来の粘着テープディスペンサーでは、粘着テープが粘着テープディスペンサーに装着された状態で逆回転すると、粘着テープの繰出し先端部が粘着テープロールに再粘着してその切断端が分かりにくくなってしまうことがしばしば生じていた。このため、使用するたびに繰出し先端部の切断端を捜すために時間を要したり、粘着テープロールから繰出し先端部を爪で剥がしたりする必要があるという不具合があった。
【０００９】
本考案の目的は、粘着テープの繰出し先端部の未使用部分が切断後に補助具の表面に仮粘着され、長期間放置しておいても粘着面が乾燥して粘着力が劣化するおそれが少なくなるとともに、粘着テープを再使用するに際して繰出し先端部を補助具から容易に剥がすことができるようにした粘着テープカッター用補助具を提供することにある。
【００１０】
また、本考案の他の目的は、粘着テープの繰出し先端部の未使用部分が切断後に補助具の表面に仮粘着され、長期間放置しておいても粘着面が乾燥して粘着力が劣化するおそれが少なくなるとともに、粘着テープを再使用するに際して繰出し先端部を補助具から容易に剥がすことができるようにした粘着テープディスペンサー用補助具を提供することにある。
【課題を解決するための手段】
【００１１】
請求項１に記載の粘着テープカッター用補助具は、板部、該板部の裏面に形成された接着剤層および前記板部の表面に形成された非粘着層からなり、平面板部、該平面板部の前端縁から折曲されて起立されたカッター刃、および前記平面板部の左右両端縁から垂下するように延出された左右脚部を含む粘着テープカッターの前記平面板部の表面に前記接着剤層により固着されて使用されることを特徴とする。
【００１２】
請求項２に記載の粘着テープッター用補助具は、請求項１記載の粘着テープカッター用補助具において、前記板部の表面に、手持ちのカッターナイフのカッター刃を挿入して移動させることにより粘着テープを切断することができる刃溝が形成されていることを特徴とする。
【００１３】
請求項３に記載の粘着テープディスペンサー用補助具は、板部、該板部の裏面に形成された接着剤層および前記板部の表面に形成された非粘着層からなり、側面板部、該側面板部の環状部分から片持ち支持されるように延出されたロール軸部、前記側面板部の三角状部分から片持ち支持されるように延出されたカッター刃支持部、該カッター刃支持部の先端縁に固着されたカッター刃、および前記カッター刃支持部の左右下方端部から内方に対向するように折り曲げられた仮留腕部を含む粘着テープディスペンサーの前記カッター刃支持部の表面に前記接着剤層により固着されて使用されることを特徴とする。
【００１４】
請求項４に記載の粘着テープディスペンサー用補助具は、請求項３記載の粘着テープディスペンサー用補助具において、前記板部の表面に、手持ちのカッターナイフのカッター刃を挿入して移動させることにより粘着テープを切断することができる刃溝が形成されていることを特徴とする。
【考案の効果】
【００１５】
請求項１に記載の粘着テープカッター用補助具によれば、補助具が固着された粘着テープカッターが、粘着テープロールの円環部を平面板部および左右脚部によって外表面から内表面に向けて抱持するように取り付けられ、補助具の表面を跨いで粘着テープの粘着面をカッター刃に押し当てて粘着テープを切断するようにしたので、切断後の粘着テープの繰出し先端部が補助具の表面に仮粘着され、長期間放置しておいても粘着面が乾燥して粘着力が劣化するおそれが少なくなる。また、切断後の粘着テープの繰出し先端部が補助具の表面に仮粘着されているので、粘着テープカッターが粘着テープロールに取り付けられた状態で動くおそれが少なくなり、粘着テープの繰出し先端部が粘着テープロールに再粘着してその切断端が分かりにくくなってしまうおそれが少なくなる。これにより、粘着テープを再使用するに際して、繰出し先端部を補助具から容易に剥がすことができるので、粘着テープロールに再粘着した繰出し先端部の切断端を捜すために時間を要したり、粘着テープロールから繰出し先端部を爪で剥がしたりする必要がなくなる。
【００１６】
請求項２に記載の粘着テープカッター用補助具によれば、請求項１に記載の粘着テープカッター用補助具の効果に加えて、表面に刃溝が形成された補助具が固着された粘着テープカッターが、粘着テープロールの円環部を平面板部および左右脚部によって外表面から内表面に向けて抱持するように取り付けられ、補助具の表面を跨いで粘着テープの粘着面を補助具の表面に仮粘着し、手持ちのカッターナイフのカッター刃を刃溝に沿って移動させることにより粘着テープを切断するようにしたので、切り取られた粘着テープの切断端が直線となって粘着テープを被着対象面に貼り付けたときの美観を向上させることができる。
【００１７】
請求項３に記載の粘着テープディスペンサー用補助具によれば、補助具が固着された粘着テープディスペンサーのロール軸部に粘着テープロールが装着され、補助具の表面を跨いで粘着テープの粘着面をカッター刃に押し当てて粘着テープを切断するようにしたので、切断後の粘着テープの繰出し先端部が補助具の表面に仮粘着され、長期間放置しておいても粘着面が乾燥して粘着力が劣化するおそれが少なくなる。また、切断後の粘着テープの繰出し先端部が補助具の表面に仮粘着されているので、粘着テープロールが粘着テープディスペンサーに装着された状態で逆回転するおそれが少なくなり、粘着テープの繰出し先端部が粘着テープロールに再粘着してその切断端が分かりにくくなってしまうおそれが少なくなる。これにより、粘着テープを再使用するに際して、繰出し先端部を補助具から容易に剥がすことができるので、粘着テープロールに再粘着した繰出し先端部の切断端を捜すために時間を要したり、粘着テープロールから繰出し先端部を爪で剥がしたりする必要がなくなる。
【００１８】
請求項４に記載の粘着テープディスペンサー用補助具によれば、請求項３に記載の粘着テープディスペンサー用補助具の効果に加えて、表面に刃溝が形成された補助具が固着された粘着テープディスペンサーのロール軸部に粘着テープロールが装着され、補助具の表面を跨いで粘着テープの粘着面を補助具の表面に仮粘着し、手持ちのカッターナイフのカッター刃を刃溝に沿って移動させることにより粘着テープを切断するようにしたので、切り取られた粘着テープの切断端が直線となって粘着テープを被着対象面に貼り付けたときの美観を向上させることができる。
【図面の簡単な説明】
【００１９】
【図１】（ａ）は本考案の実施例１に係る粘着テープカッター用補助具の断面図、（ｂ）は粘着テープカッターの斜視図、（ｃ）は粘着テープカッターに補助具を固着した状態を示す斜視図である。
【図２】（ａ）は実施例１に係る粘着テープカッター用補助具を用いた粘着テープの切断後状態を示す斜視図、（ｂ）は従来の粘着テープカッターによる粘着テープの切断後状態を示す斜視図である。
【図３】（ａ）は本考案の実施例２に係る粘着テープディスペンサー用補助具の断面図、（ｂ）は粘着テープディスペンサーに補助具を固着する方法を示す斜視図である。
【図４】（ａ）は粘着テープディスペンサー用補助具を用いた粘着テープの切断後状態を示す斜視図、（ｂ）は従来の粘着テープディスペンサーによる粘着テープの切断後状態を示す斜視図である。
【図５】（ａ）ないし（ｄ）は、実施例１および実施例２に係る補助具の変形例を示す横断面図、平面図、縦断面図および斜視図である。
【考案を実施するための形態】
【００２０】
以下、本考案の実施例について図面を参照して詳細に説明する。
【実施例１】
【００２１】
図１（ａ）は本考案の実施例１に係る粘着テープカッター用補助具（以下、適宜、補助具と略記する。）１０の断面図、図１（ｂ）は粘着テープカッターＣの斜視図、図１（ｃ）は粘着テープカッターＣに補助具１０を固着した状態を示す斜視図である。図２（ａ）は粘着テープカッター用補助具１０を用いた粘着テープＴの切断後状態を示す斜視図、図２（ｂ）は従来の粘着テープカッターＣによる粘着テープＴの切断後状態を示す斜視図である。
【００２２】
図１（ａ）を参照すると、実施例１に係る補助具１０は、長方形状の板部１１と、板部１１の裏面（図１（ａ）において下面）に形成された接着剤層１２と、板部１１の表面（図１（ｂ）において上面）に形成された非粘着層１３とから構成されている。補助具１０の縦横寸法は、後述する粘着テープカッターＣの平面板部Ｃ１の縦横寸法より若干小さくなるように設定されている。また、補助具１０の板厚は、後述する粘着テープカッターＣの面取り折曲部Ｃ３の高さとほぼ一致するように設定されている。
【００２３】
板部１１は、例えば、ポリスチレン樹脂、ＡＢＳ樹脂、ＡＥＳ樹脂、ポリプロピレン樹脂、ポリエチレン樹脂、ポリ塩化ビニル樹脂、ポリメチルメタクリレート樹脂、ポリアセタール樹脂等の合成樹脂材料や、金属材料などから形成されている。なお、板部１１は、剛性があってもよいし、ある程度の弾性を持っていてもよい。また、板部１１は、中実の素材から形成したり、網状、格子状等の空隙を有する素材から形成したりすることもできる。
【００２４】
接着剤層１２は、アクリル樹脂系、ウレタン樹脂系、エポキシ樹脂系等の接着剤で形成されている。なお、本明細書では、粘着と接着とを異なる用語として用いる。すなわち、粘着とは高粘性の液体またはゲル状固体の粘着剤が完全に固化することなくべたべたした状態で剥離抵抗力を発揮することをいい、接着とは接着剤が固化して剥離抵抗力を発揮することをいう。
【００２５】
非粘着層１３は、例えばテフロン（登録商標）樹脂、ポリ塩化ビニル樹脂等の密着しやすく、かつ剥がれやすい性質の合成樹脂により極めて薄層に形成されている。なお、板部１１の表面自体が非粘着特性を有する場合には、具体的には粘着テープＴを密着させやすく、かつ剥がしやすい性質がある場合には、非粘着層１３を形成する必要は必ずしもなく、板部１１で兼用することができる。
【００２６】
一方、粘着テープカッターＣは、従来から公知のものであり、図１（ｂ）に示すように、長方形状の平面板部Ｃ１と、平面板部Ｃ１の前端縁から折曲されて起立された先端鋸歯状のカッター刃Ｃ２と、平面板部Ｃ１の後端縁から折曲されて起立された面取り折曲部Ｃ３と、平面板部Ｃ１の左右両端縁から垂下するように延出された左右脚部Ｃ４，Ｃ５とから構成されている。左右脚部Ｃ４，Ｃ５の下端部は、粘着テープロールＲの円環部を平面板部Ｃ１および左右脚部Ｃ４，Ｃ５によって外表面から内表面に向けて抱持するように互いに対向する内側に向けて折曲されて使用される（図２（ａ），（ｂ）参照）。なお、実施例１では、粘着テープＴの繰出し方向を前方とし、その反対方向を後方として説明する。
【００２７】
粘着テープロールＲは、図２（ａ）および（ｂ）に示すように、粘着テープＴを非粘着面（基材表面）を外側に向けた状態で中空巻芯Ｒ１に巻装したものである。実施例１では、粘着テープＴとして、いわゆるセロハン粘着テープの一例が示されている。
【００２８】
粘着テープカッターＣは、従来は、図２（ｂ）に示すように、粘着テープロールＲの円環部を平面板部Ｃ１および左右脚部Ｃ４，Ｃ５によって外表面から内表面に向けて抱持するように粘着テープロールＲに取り付けられ、粘着テープＴを平面板部Ｃ１の裏面側を通し、粘着テープＴの非粘着面をカッター刃Ｃ２に押し当てて粘着テープＴを切断するようになっていた。
【００２９】
本実施例１に係る補助具１０は、図１（ｃ）に示すように、粘着テープカッターＣの平面板部Ｃ１に接着剤層１２により固着されて使用される。このとき、補助具１０の板厚が粘着テープカッターＣの面取り折曲部Ｃ３の高さとほぼ一致するように設定されているので、面取り折曲部Ｃ３の上端縁と補助具１０の表面とはほぼ面一となる。
【００３０】
このように補助具１０が固着された粘着テープカッターＣは、図２（ａ）に示すように、粘着テープロールＲの円環部を平面板部Ｃ１および左右脚部Ｃ４，Ｃ５によって外表面から内表面に向けて抱持するように粘着テープロールＲに取り付けられ、補助具１０の表面を跨いで粘着テープＴの粘着面をカッター刃Ｃ２に押し当てて粘着テープＴを切断するようにしたので、切断後の粘着テープＴの繰出し先端部が補助具１０の表面に仮粘着され、長期間放置しておいても、粘着面が乾燥して粘着力が劣化するおそれが少なくなる。
【００３１】
また、切断後の粘着テープＴの繰出し先端部が補助具１０の表面に仮粘着されているので、粘着テープカッターＣが粘着テープロールＲに取り付けられた状態で動くおそれが少なくなり、粘着テープＴの繰出し先端部が粘着テープロールＲに再粘着してその切断端が分かりにくくなってしまうおそれが少なくなる。これにより、粘着テープＴを再使用するに際して、繰出し先端部を補助具１０から容易に剥がすことができるので、粘着テープロールＲに再粘着した繰出し先端部の切断端を捜すために時間を要したり、粘着テープロールＲから繰出し先端部を爪で剥がしたりする必要がなくなる。
【実施例２】
【００３２】
図３（ａ）は本考案の実施例２に係る粘着テープディスペンサー用補助具（以下、適宜、補助具と略記する。）２０の断面図、図３（ｂ）は粘着テープディスペンサーＤに補助具２０を固着する方法を示す分解斜視図である。図４（ａ）は粘着テープディスペンサー用補助具２０を用いた粘着テープＴの切断後状態を示す斜視図、図４（ｂ）は従来の粘着テープディスペンサーＤによる粘着テープＴの切断後状態を示す斜視図である。
【００３３】
図３（ａ）を参照すると、補助具２０は、長方形状の板部２１と、板部２１の裏面（図３（ａ）において下面）に形成された接着剤層２２と、板部２１の表面（図３（ａ）において上面）に形成された非粘着層２３とから構成されている。補助具２０の縦横寸法は、後述する粘着テープディスペンサーＤのカッター刃支持部Ｄ３の表面の縦横寸法より若干小さくなるように設定されている。
【００３４】
板部２１は、例えば、ポリスチレン樹脂、ＡＢＳ樹脂、ＡＥＳ樹脂、ポリプロピレン樹脂、ポリエチレン樹脂、ポリ塩化ビニル樹脂、ポリメチルメタクリレート樹脂、ポリアセタール樹脂等の合成樹脂材料や、ある程度の弾性を有する金属材料などから形成されている。なお、板部２１は、剛性があってもよいし、ある程度の弾性を持っていてもよい。また、板部２１は、中実の素材から形成したり、網状、格子状等の空隙を有する素材から形成したりすることもできる。
【００３５】
接着剤層２２は、アクリル樹脂系、ウレタン樹脂系、エポキシ樹脂系等の接着剤で形成されている。
【００３６】
非粘着層２３は、例えばテフロン（登録商標）樹脂、ポリ塩化ビニル樹脂等の密着しやすく、かつ剥がれやすい性質の合成樹脂により極めて薄層に形成されている。なお、板部２１の表面自体が非粘着特性を有する場合には、具体的には粘着テープＴを密着させやすく、かつ剥がしやすい性質がある場合には、非粘着層２３を形成する必要は必ずしもなく、板部２１で兼用することができる。
【００３７】
一方、粘着テープディスペンサーＤは、従来から公知のものであり、図３（ｂ）に示すように、前方三角状部分および後方環状部分を含む側面板部Ｄ１と、側面板部Ｄ１の後方環状部分から片持ち支持されるように右側方に延出されたロール軸部Ｄ２と、側面板部Ｄ１の前方三角状部分から片持ち支持されるように右側方に延出されたカッター刃支持部Ｄ３と、カッター刃支持部Ｄ３の先端縁に固着された先端鋸歯状のカッター刃Ｄ４と、カッター刃支持部Ｄ３の左右下方端部から内方に対向して折り曲げられるように延出された仮留腕部Ｄ５とから構成されている。なお、実施例２では、粘着テープＴの繰出し方向を前方とし、その反対方向を後方として説明する。
【００３８】
ロール軸部Ｄ２は、軸方向に穿設された４つのスリットＤ２ａにより、対向する一対の幅広軸片Ｄ２ｂ，Ｄ２ｂと、対向する一対の幅狭軸片Ｄ２ｃ，Ｄ２ｃとに分割され、幅狭軸片Ｄ２ｃ，Ｄ２ｃの先端には断面三角形状の外方突出縁Ｄ２ｃ１，Ｄ２ｃ１が形成されている。これにより、ロール軸部Ｄ２に粘着テープロールＲが装着される際には、粘着テープロールＲの中空巻芯Ｒ１によって外方突出縁Ｄ２ｃ１，Ｄ２ｃ１が幅狭軸片Ｄ２ｃ，Ｄ２ｃの弾力に抗して押されて中心方向に一旦変位して粘着テープロールＲの挿入を許容し、粘着テープロールＲが装着された後には、幅狭軸片Ｄ２ｃ，Ｄ２ｃの復元弾力によって外方突出縁Ｄ２ｃ１，Ｄ２ｃ１が外径方向に復動して粘着テープロールＲが軸方向に移動しないように係止するようになっている。なお、粘着テープＴの繰り出し時に粘着テープロールＲの円滑な回転が妨げられないように、ロール軸部Ｄ２の外径は、粘着テープロールＲの内径よりも若干小さくなるように選定されている。
【００３９】
粘着テープディスペンサーＤは、ロール軸部Ｄ２を除いて、使用時に使用者の力によって容易には変形しない程度の剛性を有することが望ましい。このため、粘着テープディスペンサーＤは、例えば、ポリスチレン樹脂、ＡＢＳ樹脂、ＡＥＳ樹脂、ポリプロピレン樹脂、ポリエチレン樹脂、ポリ塩化ビニル樹脂、ポリメチルメタクリレート樹脂、ポリアセタール樹脂等の合成樹脂材料や、金属材料から形成することができる。また、粘着テープディスペンサーＤは、中実の素材から形成したり、網状、格子状等の空隙を有する素材から形成したりすることもできる。
【００４０】
粘着テープロールＲは、非粘着面（基材表面）を外側に向けた状態で粘着テープＴを中空巻芯Ｒ１に巻装したものである。実施例２では、いわゆるビニール粘着テープＴの一例が示されている。
【００４１】
このような粘着テープディスペンサーＤは、従来の使用形態では、図４（ｂ）に示すように、粘着テープロールＲをロール軸部Ｄ２に装着し、粘着テープＴの繰出し先端部をカッター刃支持部Ｄ３の裏面側に通した後、使用者が、一方の手でロール軸部Ｄ２を握持しながら、他方の手で粘着テープＴの繰出し先端部を繰り出し、粘着テープＴの非粘着面をカッター刃Ｄ４に押し当てて粘着テープＴを切断する。切断後の粘着テープＴの繰出し先端部は、カッター刃Ｄ４に粘着保持されることなく浮遊状態に置かれるが、その一部が仮留腕部Ｄ５に仮粘着されて、粘着テープＴの繰出し先端部が意図せず粘着テープロールＲに巻き戻されて再粘着することを防止する。
【００４２】
また、粘着テープディスペンサーＤの他の使用形態では、使用者が、一方の手でロール軸部Ｄ２を握持しながら、仮留腕部Ｄ５に仮粘着された粘着テープＴの繰出し先端部を図示しない被着対象面に貼り付けた後、粘着テープディスペンサーＤを握持した手で粘着テープディスペンサーＤを移動させることにより、所要長さの粘着テープＴを自動的に繰り出しながら被着対象面に貼り付け、手首を返すことにより粘着テープＴの非粘着面をカッター刃Ｄ４に押し当てて粘着テープＴを切断する。
【００４３】
本実施例２に係る補助具２０は、図３（ｂ）に示すように、粘着テープディスペンサーＤのカッター刃支持部Ｄ３に接着剤層２２により固着されて使用される。このとき、補助具２０の縦横寸法が粘着テープディスペンサーＤのカッター刃支持部Ｄ３の表面の縦横寸法より若干小さくなるように設定されているので、カッター刃支持部Ｄ３の表面は補助具２０の表面でほぼ覆われることになる。
【００４４】
このように補助具２０が固着された粘着テープディスペンサーＤは、図４（ａ）に示すように、粘着テープロールＲがロール軸部Ｄ２に装着され、粘着テープＴの繰出し先端部を補助具２０の表面を跨いで、粘着テープＴの粘着面をカッター刃Ｄ４に押し当てて粘着テープＴを切断する。このため、粘着テープＴの繰出し先端部の未使用部分は、補助具２０の表面に仮粘着され、長期間放置しておいても、粘着面が乾燥して粘着力が劣化するおそれが少なくなる。
【００４５】
また、切断後の粘着テープＴの繰出し先端部が補助具２０の表面に仮粘着されているので、粘着テープロールＲが粘着テープディスペンサーＤに装着された状態で逆回転するおそれが少なくなり、粘着テープＴの繰出し先端部が粘着テープロールＲに再粘着してその切断端が分かりにくくなってしまうおそれが少なくなる。これにより、粘着テープＴを再使用するに際して、繰出し先端部を補助具２０から容易に剥がすことができるので、粘着テープロールＲに再粘着した繰出し先端部の切断端を捜すために時間を要したり、粘着テープロールＲから繰出し先端部を爪で剥がしたりする必要がなくなる。
【００４６】
＜変形例＞
図５（ａ）ないし（ｄ）は、実施例１および２に係る粘着テープカッター用補助具および粘着テープディスペンサー用補助具の変形例を示す横断面図、平面図、縦断面図および斜視図である。この補助具３０は、長方形状の板部３１と、板部３１の裏面（図５（ａ）において下面）に形成された接着剤層３２と、板部３１の表面（図５（ａ）において上面）に形成された一対の刃溝形成板部３３，３３と、一対の刃溝形成板部３３，３３の表面に形成された非粘着層３４，３４とから構成されている。刃溝形成板部３３，３３および非粘着層３４，３４は、図５（ｂ）で見て六角台形状に形成されており、板部３１の上面左右両端部には三角形状の切欠きが形成されている。また、一対の刃溝形成板部３３，３３の対向面間には、図示しない手持ちのカッターナイフのカッター刃を挿入して移動させることができる幅狭の刃溝３５が形成されている。
【００４７】
なお、変形例では、刃溝３５を一対の刃溝形成板部３３，３３を狭い間隙を介して対向させることにより形成したが、刃溝３５の形成方法は、これに限られるわけではなく、板部３１と一対の刃溝形成板部３３，３３とを一体的に樹脂成型して刃溝３５を同時に形成するようにしてもよい。
【００４８】
このように構成された補助具３０では、非粘着層３４，３４に粘着テープＴの繰出し先端部が仮粘着された状態で、刃溝３５に図示しない手持ちのカッターナイフのカッター刃を挿入して移動させることにより、粘着テープＴの繰出し先端部を鋸歯状ではなく、直線状に切断することができる。
【００４９】
変形例の補助具３０によれば、実施例１および２に係る補助具１０および２０による効果に加えて、補助具３０の表面を跨いで粘着テープＴの粘着面を補助具３０の表面に仮粘着し、図示しない手持ちのカッターナイフのカッター刃を刃溝３５に沿って移動させることにより粘着テープＴを切断するようにしたので、切り取られた粘着テープＴの切断端が直線となって粘着テープＴを被着対象面に貼り付けたときの美観を向上させることができるという効果も得られる。
【００５０】
なお、上記各実施例では、粘着テープロールＲを基材の裏面に粘着剤層を設けた片面粘着テープロールであるものとして説明したが、粘着テープロールＲは、両面粘着テープの剥離紙表面を外側に向けた状態で両面粘着テープＴを中空巻芯Ｒ１に巻装したものであってもよい。また、粘着テープロールＲは、中空巻芯Ｒ１を有しないコアレス粘着テープロールであってもよい。
【００５１】
以上、本考案の各実施例を説明したが、これらはあくまで例示にすぎず、本考案はこれらに限定されるものではなく、実用新案登録請求の範囲の趣旨を逸脱しない限りにおいて、当業者の知識に基づく種々の変更が可能である。
【産業上の利用可能性】
【００５２】
本考案の補助具は、きわめて簡単な構成で粘着テープを使用する際の作業効率を大幅に向上させることができ、粘着テープロールを使用する全ての粘着テープカッターおよび粘着テープディスペンサーに幅広く適用することができる。
【符号の説明】
【００５３】
１０，２０，３０  補助具
１１，２１，３１  板部
１２，２２，３２  接着剤層
１３，２３，３４  非粘着層
３３  刃溝形成板部
Ｃ  粘着テープカッター
Ｃ１  平面板部
Ｃ２  カッター刃
Ｃ３  面取り折曲部
Ｃ４，Ｃ５  左右脚部
Ｄ  粘着テープディスペンサー
Ｄ１  側面板部
Ｄ２  ロール軸部
Ｄ２ａ  スリット
Ｄ２ｂ  幅広軸片
Ｄ２ｃ  幅狭軸片
Ｄ２ｃ１  外方突出縁
Ｄ３  カッター刃支持部
Ｄ４  カッター刃
Ｄ５  仮留腕部
Ｒ  粘着テープロール
Ｒ１  中空巻芯
Ｔ  粘着テープ
【図１】
0003161903.tif 000003
【図２】
0003161903.tif 000004
【図３】
0003161903.tif 000005
【図４】
0003161903.tif 000006
【図５】
0003161903.tif 000007